(57)【特許請求の範囲】
【請求項１】
光伝送路を伝送された波長分割多重信号を分波した光信号に対し、可変分散補償器の可動部分を制御して分散補償値を可変し、光伝送路の分散特性を補償する可変分散補償制御装置において、
前記波長分割多重信号のスペクトラム分析を行って得た該当波長のピーク値と雑音光の基底値を比較する分析比較手段と、
前記該当波長のピーク値が前記雑音光の基底値以下のときに前記可変分散補償器の制御を停止する制御停止手段を
有することを特徴とする可変分散補償制御装置。
【請求項２】
光伝送路を伝送された波長分割多重信号を分波した光信号に対し、可変分散補償器の可動部分を制御して分散補償値を可変し、光伝送路の分散特性を補償する可変分散補償制御方法において、
前記波長分割多重信号のスペクトラム分析を行って得た該当波長のピーク値と雑音光の基底値を比較し、
前記該当波長のピーク値が前記雑音光の基底値以下のときに前記可変分散補償器の制御を停止する
ことを特徴とする可変分散補償制御方法。
【発明の詳細な説明】
【技術分野】
【０００１】
本発明は、可変分散補償制御方法及び可変分散補償制御装置に関し、可変分散補償器の可動部分を制御して分散補償値を可変する可変分散補償制御方法及び可変分散補償制御装置に関する。
【背景技術】
【０００２】
近年、伝送容量の増大に伴いＤＷＤＭ（Ｄｅｎｓｅ  Ｗａｖｅｌｅｎｇｔｈ  Ｄｉｖｉｓｉｏｎ  Ｍｕｌｔｉｐｌｅｘｉｎｇ：高密度波長分割多重）伝送を可能とするネットワークが既に構築されている。また、更なる情報量の増加に対応すべく、伝送スピード４０Ｇｂ／ｓと超高速レートでの商用化もされており、大きな光分散特性を光受信機で補償することが困難な状況となっている。このような状況の中、長距離伝送においても光特性を満足させるため、トランスポンダ個別にＶＤＣ（Ｖａｒｉａｂｌｅ  Ｄｉｓｐｅｒｓｉｏｎ  Ｃｏｍｐｅｎｓａｔｏｒ：可変分散補償器）を使用する機会が増えている。
【０００３】
ＶＤＣを使用した場合、光入力の有無により色々な動作シーケンスが考えられる。また、ＶＤＣに内部の３次元ミラーを可動させて分散補償値を可変するような構造を採用した場合、その可動部分の磨耗や位置センサなどが比較的寿命が短いため、３次元ミラーを常時可動させるとＶＤＣが壊れ、それを搭載する装置自体の寿命が短命となる。このため、装置設計としてはこの寿命を考慮した作りにしている。
【０００４】
図１は、従来のトランスポンダにおけるＶＤＣ制御回路の一例のブロック図を示す。同図中、伝送路から受信した光信号はＬＯＳ検出部１１にて光信号断（ＬＯＳ：Ｌｏｓｓ  Ｏｆ  Ｓｉｇｎａｌ）を検出してＶＤＣ１２に供給される。
【０００５】
ＶＤＣ１２は、ＶＤＣコントロール部１３の制御により受信した光信号の分散補償を行って光電変換部（Ｏ／Ｅ）１４に供給する。光信号は光電変換部１４で電気信号に変換され、同期検出部（ＳＹＮＣ）１５で同期信号が検出されて後続の主信号処理部に供給され、これと共に分岐点１６で同期信号が分岐されてエラー検出部１７に供給される。エラー検出部１７では、単位時間当たりのエラー数を検出してＶＤＣコントロール部１３に供給する。
【０００６】
ＶＤＣコントロール部１３は、そのエラー数の増減に応じてＶＤＣ１２の分散補償値を変更させ、エラーが最小となる最適点を見つけて固定する。また、ＶＤＣコントロール部１３はＬＯＳ検出部１１が光入力断を検出した場合はＶＤＣ制御を停止することでＶＤＣ１２の３次元ミラーの可動を停止させる。
【０００７】
なお、特許文献１には、受信した光信号を変換した電気信号から抽出するタイミング信号の位相を制御して電気信号からデータを識別し、上記位相を制御する位相制御信号が設定範囲を超えたとき及び変動ピーク値が所定値を超えたときに、光信号の入力断と判定することが記載されている。
【先行技術文献】
【特許文献】
【０００８】
【特許文献１】特開平３−７９１４１号公報
【発明の概要】
【発明が解決しようとする課題】
【０００９】
しかるに、同期外れ（ＬＯＦ：Ｌｏｓｓ  Ｏｆ  Ｆｒａｍｅ）の場合は、いつ同期が確率するか分からないため、ＶＤＣ１２の分散補償値の変更制御を続ける必要があり、従来のＶＤＣ制御回路では、ＶＤＣコントロール部１３はＶＤＣ１２の分散補償値の変更制御を継続してエラーが最小となる最適点を探し続けるという問題がある。
【００１０】
また、伝送路に光アンプを使用した場合、光アンプの雑音光であるＡＳＥ（Ａｍｐｌｉｆｉｅｄ  Ｓｐｏｎｔａｎｅｏｕｓ  Ｅｍｉｓｓｉｏｎ）光のレベルが高く光入力断レベル以上となった場合、主信号が無くても光信号断（ＬＯＳ）にはならず同期外れ（ＬＯＦ）となる。この場合は主信号が入力され無い限り同期が確率できず、しかし光信号断（ＬＯＳ）では無いので最適点を探し続けるため、ＶＤＣ１２の分散補償値の変更制御を永久に止めることができない。この状態が長時間続くとＶＤＣの可動部分の劣化により、寿命が短くなってしまうという問題がある。このような状況は、伝送装置に電源を投入し、対向側の伝送装置で主信号が設定されていない状態で光アンプと接続していれば通常起こり得ることである。
【００１１】
本発明は、上記の点に鑑みなされたものであり、ＶＤＣの寿命をできるだけ長くし、装置寿命を延命させることができる可変分散補償制御方法及び可変分散補償制御装置を提供することを目的とする。
【課題を解決するための手段】
【００１２】
本発明の一実施態様による可変分散補償制御装置は、光伝送路を伝送された波長分割多重信号を分波した光信号に対し、可変分散補償器の可動部分を制御して分散補償値を可変し、光伝送路の分散特性を補償する可変分散補償制御装置において、
前記波長分割多重信号のスペクトラム分析を行って得た該当波長のピーク値と雑音光の基底値を比較する分析比較手段と、
前記該当波長のピーク値が前記雑音光の基底値以下のときに前記可変分散補償器の制御を停止する制御停止手段を有することにより、ＶＤＣの寿命をできるだけ長くし、装置寿命を延命させることができる。
【発明の効果】
【００１３】
本発明によれば、ＶＤＣの寿命をできるだけ長くし、装置寿命を延命させることができる。
【図面の簡単な説明】
【００１４】
【図１】従来のトランスポンダにおけるＶＤＣ制御回路の一例のブロック図である。
【図２】本発明が適用されるＷＤＭ光伝送システムの一実施形態のシステム構成図である。
【図３】本発明のＶＤＣ制御回路の第１実施形態のブロック図である。
【図４】第１実施形態のＶＤＣ制御回路が実行する処理のフローチャートである。
【図５】本発明のＶＤＣ制御回路の第２実施形態のブロック図である。
【図６】第２実施形態のＶＤＣ制御回路が実行する処理のフローチャートである。
【図７】ＲＺ−ＤＱＰＳＫ用の復調回路のブロック図である。
【図８】一般的なＷＤＭ光伝送装置のブロック図である。
【図９】本発明のＶＤＣ制御回路の第３実施形態のブロック図である。
【図１０】第３実施形態のＶＤＣ制御回路が実行する処理のフローチャートである。
【図１１】第２実施形態におけるトランスポンダの詳細ブロック図である。
【図１２】第３実施形態におけるトランスポンダの詳細ブロック図である。
【発明を実施するための形態】
【００１５】
以下、図面に基づいて本発明の実施形態について説明する。
【００１６】
図２は、本発明が適用されるＷＤＭ光伝送システムの一実施形態のシステム構成図を示す。同図中、ＷＤＭ光伝送装置２０，２６それぞれは、入力光信号を電気信号に変換して更に光信号に変換して出力する複数のトランスポンダ２１−１〜２１−ｎと、トランスポンダからの入力光信号を合波し光アンプからの分波する合分波器（ＡＷＧ）２２と、入力光信号の光増幅を行う光アンプ２３を有している。ところで、トランスポンダ２１−１〜２１−ｎをトランスポンダ部と呼び、合分波器２２と光アンプ２３をＷＤＭ部と呼んでいる。
【００１７】
ＷＤＭ光伝送装置２０，２６は、ＷＤＭネットワークを介して接続される。対向するＷＤＭ光伝送装置２０，２６の間のＷＤＭネットワークの光伝送路には、中継装置（Ｒｅｐｅａｔｅｒ）２５−１〜２５−ｍが設けられ、内蔵する光アンプで入力光信号の光増幅を行っている。
【００１８】
ＷＤＭ光伝送装置２０，２６間の長距離伝送を実施する場合、光アンプ２３，中継装置２５ー１〜２５−ｍを伝送路の端局や中段に設置して光を増幅して伝送する。光アンプ２３，中継装置２５ー１〜２５−ｍを多段に中継すると、図２中、下段の波形図に示すように、光アンプで発生するＡＳＥ光が増大し、最終段のＷＤＭ光伝送装置２６のトランスポンダ２１−ｎで受信する場合に、信号光かＡＳＥ光かを区別することが光レベルだけでは困難となる場合がある。
【００１９】
＜第１実施形態＞
図３は、本発明のＶＤＣ制御回路の第１実施形態のブロック図を示す。同図中、図２の合分波器２２から供給される光信号は光カプラ３１を通してＬＯＳ検出部３２に供給されて光信号断（ＬＯＳ）を検出してＶＤＣ３３に供給される。これと共に、光カプラ３１で分岐された光信号はフォトダイオード（ＰＤ）３９に供給される。
【００２０】
ＶＤＣ３３としては、例えば先に本出願人が、特開２００２−２５８２０７号公報等で提案した装置を用いる。この装置は、ＶＩＰＡ（Ｖｉｒｔｕａｌｌｙ  Ｉｍａｇｅｄ  Ｐｈａｓｅｄ  Ａｒｒａｙ）板から角分散されて出力された各波長の光をレンズによって集束すると共に、光路ずれ生成手段及び光路ずれ量可変手段を兼ねるグレーティング対によって回折して、異なる波長の光路にずれを生じさせ、分散平坦化３次元ミラーに光を反射させて再びＶＩＰＡ板に入力すると、波長によって３次元ミラーの光路差によって分散補償量の異なる部分にあたり、波長毎に異なる波長分散量を実現でき、波長多重信号の波長全般にわたる波長分散量の調整と波長分散スロープの調整を独立に行うものである。
【００２１】
ＶＤＣ３３は、ＶＤＣコントロール部３４の制御により受信した光信号の分散補償を行って光電変換部（Ｏ／Ｅ）３５に供給する。光信号は光電変換部３５で電気信号に変換され、同期検出部（ＳＹＮＣ）３６で同期信号を検出されて後続の主信号処理部に供給され、これと共に分岐点３７で同期信号が分岐されてエラー検出部３８に供給される。エラー検出部３８では、単位時間当たりのエラー数を検出してＶＤＣコントロール部３４に供給する。
【００２２】
ＶＤＣコントロール部３４は、そのエラー数の増減でＶＤＣ３３の分散補償値を変更させ、エラーが最小となる最適点を見つけて固定する。また、ＶＤＣコントロール部３４はＬＯＳ検出部３２から光入力断検出を通知された場合はＶＤＣ動作を停止して３次元ミラーの可動を停止させる。
【００２３】
一方、フォトダイオード３９では光電変換を行ってクロックリカバリ回路（ＣＲ）４０に供給する。クロックリカバリ回路４０はクロック抽出を行って、クロック成分が含まれればクロック成分にロックする。クロックリカバリ回路４０はロックしたかどうかの情報をＶＤＣコントロール部３４に通知する。また、ＶＤＣコントロール部３４は、クロックリカバリ回路４０がロックしていれば主信号有りと判断し通常のＶＤＣ動作に移行させ、ロックしていなければＬＯＳ又はＡＳＥ光受信による主信号無しと判断してＶＤＣ動作を停止して３次元ミラーの可動を停止させる。
【００２４】
図４は、第１実施形態のＶＤＣ制御回路が実行する処理のフローチャートを示す。同図中、ステップＳ１で光入力が有るかどうかをＬＯＳ検出部３２で判断し、光入力無と判断した場合はステップＳ２でＶＤＣコントロール部３４からＶＤＣ３３に制御停止命令が送信され、ＶＤＣ制御が停止する。
【００２５】
光入力有りと判断した場合は、ステップＳ３に進み、フォトダイオード３９で光／電気変換し、得られた電気信号をクロックリカバリ回路４０によってクロック抽出を行う（ステップＳ４）。クロック成分が含まれればクロックリカバリ回路はロックする。
【００２６】
ステップＳ５でロックしたかどうかを判断して、ロックしていればステップＳ６でその情報（主信号有り）をＶＤＣコントロール部３４に通知し、ＶＤＣコントロール部３４は通常のＶＤＣ動作に移行させる（ステップＳ７〜Ｓ９）。
【００２７】
一方、ロックしていなければステップＳ１０でその情報（主信号無し：ＬＯＳ或いはＡＳＥ光受信）をＶＤＣコントロール部３４に通知し、ＶＤＣコントロール部３４はＶＤＣ動作を停止させる（ステップＳ１１）。
【００２８】
これにより、ＶＤＣ３３の不要動作を無くし、ＶＤＣ３３の寿命を延命させることが可能となり、装置品質が向上すると共にＶＤＣの延命により経済的に有利となる。
【００２９】
＜第２実施形態＞
主信号が超高速信号（例えば４０Ｇｂ／ｓ）の場合、それより低速信号（例えば１０Ｇｂ／ｓ）で用いていたＮＲＺ変調方式では光の雑音耐力や波長分散耐力などが弱く長距離伝送に不向きである。そこで長距離伝送を行う場合には光特性的に有利なＲＺ−ＤＱＰＳＫ（Ｒｅｔｕｒｎ−ｔｏ−Ｚｅｒｏ  Ｄｉｆｆｅｒｅｎｔｉａｌ  Ｑｕａｄｒａｔｕｒｅ  Ｐｈａｓｅ  ｓｈｉｆｔ  Ｋｅｙｉｎｇ）変調方式を採用するのが有益である。
【００３０】
ところで、例えば情報量４０Ｇｂ／ｓのＲＺ−ＤＱＰＳＫ信号の場合、伝送路の光信号は半分の２０Ｇｂ／ｓとなってかなり高速であり、図３のクロックリカバリ回路部４０としては２０Ｇｂ／ｓクロック抽出のために、超高速デバイスを用いる必要がある。これに対して、第２実施形態は、低速デバイスを用いたクロックリカバリ回路を使用するものである。
【００３１】
図５は、本発明のＶＤＣ制御回路の第２実施形態のブロック図を示す。同図中、図３と同一部分には同一符号を付す。
【００３２】
図５において、送信側のＷＤＭ光伝送装置２０のトランスポンダ５０（トランスポンダ２１−１〜２１−ｎに対応）に低周波クロック発生部５１を設け、光信号送信部５２において、低周波クロック発生部５１で発生した低周波クロック成分を４０Ｇｂ／ｓのＲＺ−ＤＱＰＳＫ信号に重畳して伝送路に送出する。
【００３３】
受信側のＷＤＭ光伝送装置２６のトランスポンダ５５（トランスポンダ２１−１〜２１−ｎに対応）では、合分波器２２から供給される光信号は光カプラ３１を通してＬＯＳ検出部３２に供給されて光信号断（ＬＯＳ）を検出してＶＤＣ３３に供給される。これと共に、光カプラ３１で分岐された光信号はフォトダイオード（ＰＤ）３９に供給される。
【００３４】
ＶＤＣ３３は、ＶＤＣコントロール部３４の制御により受信した光信号の分散補償を行って光電変換部（Ｏ／Ｅ）３５に供給する。光信号は光電変換部３５で電気信号に変換され、同期検出部（ＳＹＮＣ）３６で同期信号を検出されて後続の主信号処理部に供給され、これと共に分岐点３７で同期信号が分岐されてエラー検出部３８に供給される。エラー検出部３８では、単位時間当たりのエラー数を検出してＶＤＣコントロール部３４に供給する。
【００３５】
ＶＤＣコントロール部３４は、そのエラー数の増減でＶＤＣ３３の分散補償値を変更させ、エラーが最小となる最適点を見つけて固定する。また、ＶＤＣコントロール部３４はＬＯＳ検出部３２から光入力断検出を通知された場合はＶＤＣ動作を停止して３次元ミラーの可動を停止させる。
【００３６】
一方、フォトダイオード３９では光電変換を行ってクロックリカバリ回路（ＣＲ）５６に供給する。ここで第１実施形態と異なるのはクロックリカバリ回路部５６であり、ここでは高速クロックを抽出する必要が無いので高速デバイスは必要無く低速クロックを抽出できる程度の安価なデバイスを使用する。クロックリカバリ回路５６はクロック抽出を行って、クロック成分が含まれればクロック成分にロックする。クロックリカバリ回路５６はロックしたかどうかの情報をＶＤＣコントロール部３４に通知する。また、ＶＤＣコントロール部３４は、クロックリカバリ回路５６がロックしていれば主信号有りと判断し通常のＶＤＣ動作に移行させ、ロックしていなければＬＯＳ又はＡＳＥ光受信による主信号無しと判断してＶＤＣ動作を停止して３次元ミラーの可動を停止させる。
【００３７】
図６は、第２実施形態のＶＤＣ制御回路が実行する処理のフローチャートを示す。同図中、ステップＳ２１で光入力が有るかどうかをＬＯＳ検出部３２で判断し、光入力無と判断した場合はステップＳ２２でＶＤＣコントロール部３４からＶＤＣ３３に制御停止命令が送信され、ＶＤＣ制御が停止する。
【００３８】
光入力有りと判断した場合は、ステップＳ２３に進み、フォトダイオード３９で光／電気変換し、得られた電気信号をクロックリカバリ回路４０によってクロック抽出を行う（ステップＳ２４）。クロック成分が含まれればクロックリカバリ回路はロックする。
【００３９】
ステップＳ２５でロックしたかどうかを判断して、ロックしていればステップＳ２６でその情報（主信号有り）をＶＤＣコントロール部３４に通知し、ＶＤＣコントロール部３４は通常のＶＤＣ動作に移行させる（ステップＳ２７〜Ｓ２９）。
【００４０】
一方、ロックしていなければステップＳ３０でその情報（主信号無し：ＬＯＳ或いはＡＳＥ光受信）をＶＤＣコントロール部３４に通知し、ＶＤＣコントロール部３４はＶＤＣ動作を停止させる（ステップＳ３１）。
【００４１】
これにより、ＶＤＣ３３の不要動作を無くし、ＶＤＣ３３の寿命を延命させることが可能となり、装置品質が向上すると共にＶＤＣの延命により経済的に有利となる。
【００４２】
なお、４０Ｇｂ／ｓのＲＺ−ＤＱＰＳＫ変調方式を採用した場合、ＲＺ−ＤＱＰＳＫ変調信号のクロック成分を抽出して、ＬＯＳ或いはＡＳＥ光受信であって主信号無しを検出することも考えられる。しかし、この場合には、信号成分の検出にＲＺ−ＤＱＰＳＫ用の復調回路が必要である。
【００４３】
ＲＺ−ＤＱＰＳＫ用の復調回路は、図７に示すように、光カプラ６１と、遅延干渉計６２Ａ，６２Ｂと、ＣＤＲ（クロック・データリカバリ回路）６３Ａ，６３Ｂと、２：１多重回路（ＭＵＸ）６４から成る。ここでは、遅延干渉計６２Ａ，６２Ｂの位相を変化させ、それに応じて検出される位相量の変化を検出することで主信号の有無を判断することが可能である。しかし、この方法では遅延干渉計６２Ａ，６２Ｂの位相を制御し安定させる時間が必要となり、これに数秒から数分を要する。
【００４４】
これに対し、第２実施形態では、フォトダイオード３９で変換された電気波形をクロックリカバリ回路５６でクロック成分を抽出し、ロックしたかどうかで主信号の有無を判断できるため、瞬時に信号光の有無を判断することができる。
【００４５】
＜第３実施形態＞
ＷＤＭ光伝送装置の場合、図８に示すように、ＷＤＭ部に波長多重された各チャンネルの光ピークパワーやＯＳＮＲ（光ＳＮ比）測定のためにスペクトラムアナライザ２７が存在する場合が多い。
【００４６】
図９は、本発明のＶＤＣ制御回路の第３実施形態のブロック図を示す。同図中、受信側のＷＤＭ光伝送装置２６にはスペクトラムアナライザ２７が設けられている。スペクトラムアナライザ２７は、光アンプ２３から供給される光信号（ＷＤＭ信号）のスペクトラム情報を作成し、このスペクトラム情報から各波長のピーク値Ｌ１とＡＳＥ光の基底値Ｌ２を検出し、各ピーク値とＡＳＥ基底値を比較し主信号の有無を判定して、判定結果を各波長のトランスポンダ２１−１〜２１−ｎのＶＤＣコントロール部３４に通知する。
【００４７】
各トランスポンダ２１−１〜２１−ｎでは、合分波器２２から供給される光信号はＬＯＳ検出部３２に供給されて光信号断（ＬＯＳ）を検出してＶＤＣ３３に供給される。
【００４８】
ＶＤＣ３３は、ＶＤＣコントロール部３４の制御により受信した光信号の分散補償を行って光電変換部（Ｏ／Ｅ）３５に供給する。光信号は光電変換部３５で電気信号に変換され、同期検出部（ＳＹＮＣ）３６で同期信号を検出されて後続の主信号処理部に供給され、これと共に分岐点３７で同期信号が分岐されてエラー検出部３８に供給される。エラー検出部３８では、単位時間当たりのエラー数を検出してＶＤＣコントロール部３４に供給する。
【００４９】
ＶＤＣコントロール部３４は、そのエラー数の増減でＶＤＣ３３の分散補償値を変更させ、エラーが最小となる最適点を見つけて固定する。また、ＶＤＣコントロール部３４はＬＯＳ検出部３２から光入力断検出を通知された場合はＶＤＣ動作を停止して３次元ミラーの可動を停止させる。
【００５０】
また、ＶＤＣコントロール部３４は、スペクトラムアナライザ２７から主信号有りと通知されると通常のＶＤＣ動作に移行させ、主信号無しと通知されるとＶＤＣ動作を停止して３次元ミラーの可動を停止させる。
【００５１】
図１０は、第３実施形態のＶＤＣ制御回路が実行する処理のフローチャートを示す。同図中、ステップＳ４１で光入力があるかどうかをＬＯＳ検出部３２で判断し、光入力無と判断した場合はステップＳ４２でＶＤＣコントロール部３４からＶＤＣ３３に制御停止命令が送信され、ＶＤＣ制御が停止する。
【００５２】
光入力有りと判断した場合は、ステップＳ４３に進み、スペクトラムアナライザ２７はスペクトラム情報から当該波長のピーク値を検出し、ステップＳ４４でＡＳＥ光の基底値を検出して当該波長のピーク値と比較する。ステップＳ４５でピーク値＞基底値ならば主信号有りと判断し、ステップＳ４６でその情報（主信号有り）をＶＤＣコントロール部３４に通知し、ＶＤＣコントロール部３４は通常のＶＤＣ動作に移行させる（ステップＳ４７〜Ｓ４９）。
【００５３】
一方、主信号無しであれば（ピーク値≦基底値）、ステップＳ５０でその情報（主信号無し）をＶＤＣコントロール部３４に通知し、ＶＤＣコントロール部３４はＶＤＣ動作を停止させる（ステップＳ５１）。
【００５４】
これにより、ＶＤＣ３３の不要動作を無くし、ＶＤＣ３３の寿命を延命させることが可能となり、装置品質が向上すると共にＶＤＣの延命により経済的に有利となる。
【００５５】
＜第１実施例＞
図１１は、第２実施形態におけるトランスポンダの詳細ブロック図を示す。同図中、低周波クロック発生部７１で発生した低周波クロックをＥ／Ｏ部７２に送り、Ｅ／Ｏ部７２にて主信号と低周波クロックを重畳する。その出力を光アンプ７３で増幅して出力する。
【００５６】
この光信号は図２に示すＷＤＭ光伝送装置２０のＡＷＧ２２で合波され光アンプ２３で増幅されて伝送路に送出される。伝送路に送出された光信号は中継装置２５−１〜２５−ｍで光増幅され、ＷＤＭ光伝送装置（２）へ入力される。ＷＤＭ光伝送装置２６の光アンプ２３により増幅され、ＡＷＧ２２で分波され、各波長毎にトランスポンダ２１−１〜２１−ｎに供給される。
【００５７】
図１１に示すトランスポンダに供給された光信号は光アンプ７５で光信号断の検出を行っている。光信号断の場合はＶＤＣコントロール部３４を含むコントロール部７６にその光信号情報を送り、ＶＤＣ制御を停止する。
【００５８】
光信号断では無い場合はフォトダイオード７７で光電変換し、クロックリカバリ回路７８で主信号とは別の低速クロックの抽出を行う。クロックリカバリ回路７８でクロックを抽出できるとクロックリカバリ回路７８がロックする。ロックした情報をコントロール部７６へ送り、ＶＤＣ８０の分散補償動作を開始する。分散補償動作が完了すると光アンプ８１で増幅し、Ｏ／Ｅ８２で光電変換された主信号がＯＴＮ／ＳＤＨ（Ｏｐｔｉｃａｌ  Ｔｒａｎｓｐｏｒｔ  Ｎｅｔｗｏｒｋ／Ｓｙｎｃｈｒｏｎｏｕｓ  Ｄｉｇｉｔａｌ  Ｈｉｅｒａｒｃｈｙ）処理部８３で主信号処理することが可能となり、主信号が疎通する。
【００５９】
前に戻ってクロックリカバリ回路７８で低速クロック成分が抽出できず、クロックリカバリ回路７８がロックしなかった場合、アンロック情報をコントロール部７６に送り、コントロール部７６からＶＤＣ８０に制御停止命令を出す。これによりＶＤＣ８０は動作を停止する。その後、クロックリカバリ回路７８がロックすればコントロール部７６よりＶＤＣ８０に制御開始が指示され分散制御を開始できる。
【００６０】
このように装置を組むことにより不要なＶＤＣ制御を実行し無くなるため、ＶＤＣの寿命を延命できることになる。
【００６１】
＜第２実施例＞
図１２は、第３実施形態におけるトランスポンダの詳細ブロック図を示す。同図中、図１１と同一部分には同一符号を付し、その説明を省略する。
【００６２】
図１２において、ＷＤＭ光伝送装置２０，２６の光アンプ２３に光カプラが設置されており、光信号（ＷＤＭ信号）は合分波器２２とスペクトラムアナライザ２７に向かう信号に分岐される。スペクトラムアナライザ２７ではＷＤＭ信号の各波長のスペクトラム情報をモニタすることが可能である。このスペクトラムアナライザ２７にて該当するトランスポンダ２１−１のスペクトラム情報に注目し、その波長のピーク検出を行う。また、ＡＳＥ光の基底値を検出し、これとピーク値を比較して、ピーク値＞基底値ならば主信号有りと判断し、トランスポンダ２１−１のコントロール部７６に主信号有りの情報を渡す。
【００６３】
コントロール部７６では主信号有りの情報を受信し、ＶＤＣ８０の制御を開始し、後段のＯＴＮ／ＳＤＨ処理部８３で主信号処理が可能となり、主信号が疎通する。なお、トランスポンダ２１−１には低周波クロック発生部７１は設けられていない。
【００６４】
前に戻ってスペクトラムアナライザ２７でピーク値≦基底値ならば主信号無しと判断し、トランスポンダ２１−１のコントロール部７６に主信号無しの情報を渡す。
【００６５】
コントロール部７６でこれを受信し、ＶＤＣ８０の制御を停止させる。もしその後スペクトラムアナライザ２７で、ピーク値＞基底値となって、主信号有りと判断した場合には、いつでもＶＤＣ制御を開始できる。
【００６６】
このように装置を組むことにより不要なＶＤＣ制御を実行しなくなるため、ＶＤＣの寿命を延命できることになる。
【００６７】
なお、上記実施形態では、クロック抽出手段の一例としてフォトダイオード３９，クロックリカバリ回路４０を用い、制御停止手段の一例としてＶＤＣコントロール部３４を用い、低周波クロック抽出手段の一例としてフォトダイオード３９，クロックリカバリ回路５６を用い、分析比較手段の一例としてスペクトラムアナライザ２７を用いている。
（付記１）
可変分散補償器の可動部分を制御して分散補償値を可変し、光伝送路の分散特性を補償する可変分散補償制御方法において、
前記光伝送路から受信した光信号を供給されて、前記光信号からクロック成分を抽出し、
前記クロック成分が抽出されないときに前記可変分散補償器の制御を停止する
ことを特徴とする可変分散補償制御方法。
（付記２）
可変分散補償器の可動部分を制御して分散補償値を可変し、光伝送路の分散特性を補償する可変分散補償制御方法において、
送信側で光信号に低周波クロックを重畳して光伝送路に送出し、
受信側で前記光伝送路から受信した光信号の一部を供給されて、前記光信号から低周波クロックを抽出し、
前記低周波クロックが抽出されないときに前記可変分散補償器の制御を停止する
ことを特徴とする可変分散補償制御方法。
（付記３）
光伝送路を伝送された波長分割多重信号を分波した光信号に対し、可変分散補償器の可動部分を制御して分散補償値を可変し、光伝送路の分散特性を補償する可変分散補償制御方法において、
前記波長分割多重信号のスペクトラム分析を行って得た該当波長のピーク値と雑音光の基底値を比較し、
前記該当波長のピーク値が前記雑音光の基底値以下のときに前記可変分散補償器の制御を停止する
ことを特徴とする可変分散補償制御方法。
（付記４）
可変分散補償器の可動部分を制御して分散補償値を可変し、光伝送路の分散特性を補償する可変分散補償制御装置において、
前記光伝送路から受信した光信号を供給されて、前記光信号からクロック成分を抽出するクロック抽出手段と、
前記クロック抽出手段でクロック成分が抽出されないときに前記可変分散補償器の制御を停止する制御停止手段を
有することを特徴とする可変分散補償制御装置。
（付記５）
可変分散補償器の可動部分を制御して分散補償値を可変し、光伝送路の分散特性を補償する可変分散補償制御装置において、
前記光伝送路から受信した光信号から低周波クロックを抽出する低周波クロック抽出手段と、
前記低周波クロック抽出手段で低周波クロックが抽出されないときに前記可変分散補償器の制御を停止する制御停止手段を
有することを特徴とする可変分散補償制御装置。
（付記６）
光伝送路を伝送された波長分割多重信号を分波した光信号に対し、可変分散補償器の可動部分を制御して分散補償値を可変し、光伝送路の分散特性を補償する可変分散補償制御装置において、
前記波長分割多重信号のスペクトラム分析を行って得た該当波長のピーク値と雑音光の基底値を分析比較手段と、
前記該当波長のピーク値が前記雑音光の基底値以下のときに前記可変分散補償器の制御を停止する制御停止手段を
有することを特徴とする可変分散補償制御装置。
（付記７）
付記５記載の可変分散補償制御装置において、
光信号に低周波クロックを重畳して光伝送路に送出する低周波クロック重畳手段を
有することを特徴とする可変分散補償制御装置。
【符号の説明】
【００６８】
２０，２６  ＷＤＭ光伝送装置
２１−１〜２１−ｎ  トランスポンダ
２２  合分波器
２３  光アンプ
２５−１〜２５−ｍ  中継装置
２７  スペクトラムアナライザ
３１，３７  光カプラ
３２  ＬＯＳ検出部
３３  ＶＤＣ
３４  ＶＤＣコントロール部
３５  光電変換部
３６  同期検出部
３８  エラー検出部
３９  フォトダイオード
４０，５６  クロックリカバリ回路
５１  低周波クロック発生部
【図１】
0005445603.tif 000002
【図２】
0005445603.tif 000003
【図３】
0005445603.tif 000004
【図４】
0005445603.tif 000005
【図５】
0005445603.tif 000006
【図６】
0005445603.tif 000007
【図７】
0005445603.tif 000008
【図８】
0005445603.tif 000009
【図９】
0005445603.tif 000010
【図１０】
0005445603.tif 000011
【図１１】
0005445603.tif 000012
【図１２】
0005445603.tif 000013